(57)【要約】【解決手段】  基地局とユーザデバイス間の通信リンク、又はユーザ装置に対するパワーを、移動体通信ネットワークの通信リンクチャネルを通して増大するために提供されるシステム及び方法。一の実施形態において、基地局は、基地局によりサービスを受けるセルのセクタに位置するユーザデバイスに対する通信リンクがパワーブーストを必要とするか否か決定する。パワーブーストが必要な場合、基地局はユーザデバイスへの通信リンクに対し、及びユーザデバイスが位置するセクタに隣接する１以上の隣接セクタのそれぞれに対しパワーブーストを提供し、パワーブーストを隣接するセクタのセル中心領域に位置する別のユーザデバイスへのダウンリンクに対するパワーバックオフに対して、周波数と時間の両方において調整する。【選択図】  図３Ａ
2012512547.tif 000002
【特許請求の範囲】
【請求項１】
基地局とユーザデバイス間の通信リンクに対するパワーブーストを通信リンクチャネルを通して提供するために移動体通信ネットワークの基地局を操作する方法であって、
前記基地局と前記基地局によりサービスを受けるセルのセクタに位置する前記ユーザデバイス間の通信リンクに対しパワーブーストが必要かどうかを決定し、
前記基地局と前記ユーザデバイス間の前記通信リンクに対するパワーブーストが必要な場合に、前記ユーザデバイスが位置するセクタの隣接セクタのセル中心領域に位置する第２のユーザデバイスに対するパワーバックオフと周波数と時間の両方で調整されるパワーブーストとを前記基地局と前記ユーザデバイス間の前記通信リンクに対して提供する、
基地局操作方法。
【請求項２】
前記通信リンクに対する前記パワーブーストの提供は、前記ユーザデバイスが隣接するセクタを含んで位置する前記セクタに隣接する複数の各セクタに対し、前記複数の隣接セクタの１つのセル中心領域に位置する第２のユーザデバイスに対するパワーバックオフと前記パワーブーストが周波数と時間の両方で調整されるように、前記通信リンクに対しパワーブーストを提供することを含むことを特徴とする請求項１に記載の方法。
【請求項３】
前記複数の隣接セクタは、前記基地局によりサービスを受けるセルの外側の全ての隣接セクタと、前記基地局によりサービスを受けるセルの外側の全ての隣接セクタのサブセットからなるグループの１つを含むことを特徴とする請求項２に記載の方法。
【請求項４】
前記複数の隣接セクタは、前記基地局によりサービスを受けるセルの内側の全ての隣接セクタと、前記基地局によりサービスを受けるセルの内側の全ての隣接セクタのサブセットからなるグループの１つをさらに含むことを特徴とする請求項３に記載の方法。
【請求項５】
前記通信リンクチャネルは複数のサブキャリア周波数を含む全チャネル帯域を有し、
前記通信リンクに対し前記パワーブーストを提供することは、
前記複数の隣接セクタにおけるパワーブーストやパワーバックオフに関する情報に基づいて、狭帯域チャネルが前記通信リンクチャネルの前記全チャネル帯域より小さい狭帯域を有し、望ましいパワーブーストに相当するように、前記ユーザデバイスへの前記通信リンクに対する狭帯域チャネルとして前記通信リンクチャネルの前記複数のサブキャリア周波数のサブセットを特定し、
信号電力が全チャネル帯域にまたがって分布する代わりに狭帯域チャネル内の前記複数のサブキャリア周波数のサブセットに集中し、パワーブーストを前記通信リンクに対し提供するように、前記ユーザデバイスへの前記通信リンクを前記狭帯域チャネルを使ってスケジュールする
ことを含むことを特徴とする請求項２に記載の方法。
【請求項６】
複数の隣接するセクタにおけるパワーブーストやパワーバックオフに関する情報は、前記複数の隣接するセクタのパワーブーストに使用される前記通信リンクチャネルの前記複数のサブキャリア周波数からサブキャリア周波数を特定する情報と、複数の隣接するセクタのパワーバックオフに使用される前記通信リンクチャネルの前記複数のサブキャリア周波数からサブキャリア周波数を特定する情報とを含むことを特徴とする請求項５に記載の方法。
【請求項７】
前記通信リンクチャネルの前記複数のサブキャリア周波数のサブセットは、複数の隣接するセクタのそれぞれにおいてパワーバックオフに使用されているが、前記隣接する複数のセクタのいずれにおいてもパワーブーストに使われていない通信リンクチャネルの複数のサブキャリア周波数からのサブキャリア周波数を含むことを特徴とする請求項６に記載の方法。
【請求項８】
複数の隣接するセクタの１以上の隣接するセクタに対し、パワーバックオフに使われるサブキャリア周波数が存在しない場合は、前記通信リンクチャネルの前記複数のサブキャリア周波数のサブセットが,１以上の隣接セクタにおいてパワーブーストに使われていない通信リンクチャネルの前記複数のサブキャリア周波数からのサブキャリア周波数を含むことを特徴とする請求項６に記載の方法。
【請求項９】
前記複数の隣接するセクタの１以上の隣接するセクタに対し、複数の隣接するセクタの別の隣接するセクタにおいてパワーブーストに対して未だ使われていないパワーバックオフのために使われるサブキャリア周波数が存在しない場合は、前記通信リンクチャネルの前記複数のサブキャリア周波数のサブセットが,１以上の隣接セクタにおいてパワーブーストに使われていない前記通信リンクチャネルの前記複数のサブキャリア周波数からのサブキャリア周波数を含むことを特徴とする請求項６に記載の方法。
【請求項１０】
前記狭帯域チャネルを使って前記ユーザデバイスへの前記通信リンクをスケジュールすることは、前記ユーザデバイスへの前記通信リンクに対して、前記狭帯域チャネルにおける前記複数のサブキャリア周波数のサブセットからの１以上のサブキャリア周波数を前記狭帯域チャネルのみが使われる送信時間のインターバルの間に割り当てることを含むことを特徴とする請求項５に記載の方法。
【請求項１１】
前記ユーザデバイスに対する前記複数のサブキャリア周波数のサブセットのそれぞれに対してセル外干渉量を決定することをさらに含み、
前記通信リンクに対する前記狭帯域チャネルにおける前記複数のサブキャリア周波数のサブセットからの１以上のサブキャリア周波数を前記ユーザデバイスに対し割り当てることは、前記通信リンクに対する最小のセル外干渉量を有する狭帯域チャネルにおける前記複数のサブキャリア周波数のサブセットからの１以上のサブキャリア周波数を前記ユーザデバイスに対し割り当てることを含むことを特徴とする請求項１０に記載の方法。
【請求項１２】
パワーブーストが前記通信リンクに対し必要かどうかを決定することは、
前記通信リンクの信号対干渉雑音比（ＳＩＮＲ）を取得し、
前記ＳＩＮＲが所定の閾値より小さければパワーブーストが必要であると決定することを含むことを特徴とする請求項１に記載の方法。
【請求項１３】
前記所定の閾値は、前記基地局との通信リンクを維持するのに必要な最小ＳＩＮＲであることを特徴とする請求項１２に記載の方法。
【請求項１４】
前記ＳＩＮＲが所定の最大閾値より大きい場合はパワーバックオフが必要であると決定し、
パワーバックオフが必要である場合は、
望ましいパワーバックオフを決定し、
前記望ましいパワーバックオフで全チャネル帯域を有する前記通信リンクチャネルを使って前記ユーザデバイスへ前記通信リンクを提供することをさらに含むことを特徴とする請求項１２に記載の方法。
【請求項１５】
前記望ましいパワーバックオフで前記全チャネル帯域を有する前記通信リンクチャネルを使って前記ユーザデバイスへの前記通信リンクを提供することは、前記通信リンクに対する前記通信リンクチャネルの全チャネル帯域における複数のサブキャリア周波数からの１以上のサブキャリア周波数を、前記望ましいパワーバックオフで前記通信リンクチャネルの前記全チャネル帯域が使われる送信時間のインターバルの間、前記ユーザデバイスに対し割り当てることを含むことを特徴とする請求項１４に記載の方法。
【請求項１６】
前記ユーザデバイスへの前記通信リンクに対してパワーブーストもパワーバックオフも必要でない場合は、全送信パワーで全チャネル帯域を有する前記通信リンクチャネルを使って前記ユーザデバイスへの前記通信リンクを提供することをさらに含むことを特徴とする請求項１に記載の方法。
【請求項１７】
前記全送信パワーで全チャネル帯域を有する前記通信リンクチャネルを使って前記ユーザデバイスへの通信リンクを提供することは、前記通信リンクチャネルの前記全チャネル帯域における複数のサブキャリア周波数からの１以上のサブキャリア周波数を、前記全送信パワーで前記通信リンクチャネルの前記全チャネル帯域が使われる送信時間のインターバルの間、前記ユーザデバイスへの前記通信リンクに対し割り当てることを含むことを特徴とする請求項１６に記載の方法。
【請求項１８】
前記通信リンクチャネルはダウンリンクチャネルであり、前記通信リンクはダウンリンクであることを特徴とする請求項１に記載の方法。
【請求項１９】
前記ダウンリンクチャネルは、直交周波数分割多元接続（ＯＦＤＭＡ）チャネルであることを特徴とする請求項１８に記載の方法。
【請求項２０】
前記通信リンクチャネルはアップリンクチャネルであり、前記通信リンクはアップリンクであることを特徴とする請求項１に記載の方法。
【請求項２１】
前記アップリンクチャネルはシングルキャリア周波数分割多元接続（ＳＣ−ＦＤＭＡ）チャネルであることを特徴とする請求項２０に記載の方法。
【請求項２２】
通信リンクチャネルを介して基地局によりサービスを受ける移動体通信ネットワークのセル内に位置するユーザデバイスへ通信リンクを提供する１以上のセクタトランシーバと、
前記１以上のセクタトランシーバに関連した制御システムと、
を備える移動体通信ネットワークの基地局であって、
前記制御システムは、
前記基地局と前記基地局によりサービスを受けるセルのセクタに位置する前記ユーザデバイス間の通信リンクに対しパワーブーストが必要かどうかを決定し、
前記基地局と前記ユーザデバイス間の前記通信リンクに対するパワーブーストが必要な場合に、前記ユーザデバイスが位置するセクタの隣接セクタのセル中心領域に位置する第２のユーザデバイスに対するパワーバックオフと周波数と時間の両方で調整されるパワーブーストとを前記基地局と前記ユーザデバイス間の前記通信リンクに対して提供するように適合されている制御システムを備える移動体通信ネットワークの基地局。
【発明の詳細な説明】
【技術分野】
【０００１】
この出願は、いずれも２００８年８月１１日に出願され、その開示の全体が参照することによりこの出願に組み込まれる、米国仮特許出願、出願番号６１/１８８,６０９及び６１/１８８,５６９の権利を主張するものである。
【０００２】
本発明は無線通信リンクに対しパワーブーストを提供することに関する。
【背景技術】
【０００３】
全ての移動体通信ネットワークにおいて、高スペクトル効率、高エリア可用性、またはカバレッジにおいて相反する要望が存在する。第４世代（４Ｇ）技術として、ロングタームイボリューション（Ｌｏｎｇ  Ｔｅｒｍ  Ｅｖｏｌｕｔｉｏｎ（ＬＴＥ））が高スペクトル効率を提供すると期待されている。すなわち、ダウンリンクに対しＬＴＥはハイスピードダウンリンクパケットアクセス（Ｈｉｇｈ−Ｓｐｅｅｄ  Ｄｏｗｎｌｉｎｋ  Ｐａｃｋｅｔ  Ａｃｃｅｓｓ（ＨＳＤＰＡ））リリース６よりも３〜４倍高いスペクトル効率を提供すると期待され、アップリンクに対してはハイスピードアップリンクパケットアクセス（Ｈｉｇｈ−Ｓｐｅｅｄ  Ｕｐｌｉｎｋ  Ｐａｃｋｅｔ  Ａｃｃｅｓｓ（ＨＳＵＰＡ））リリース６よりも２〜３倍高いスペクトル効率を提供すると期待されている。それに加えて、あらゆる移動体通信ネットワークと同様、ＬＴＥは、カバレッジに対してキャリアグレードオブサービス（Ｃａｒｒｉｅｒ  Ｇｒａｄｅ  ｏｆ  Ｓｅｒｖｉｃｅ（ＣＧｏＳ））と呼ばれる、９０％−９５％のカバレッジを提供しなければならない。高スペクトル効率及びカバレッジに対する要望は、高スペクトル効率を達成するためには小さい周波数再利用係数（Ｎ）が望ましいが、一般的には高い周波数再利用係数（Ｎ）がセル外干渉を減らし、従ってカバレッジを向上するためには望ましい点において、相反している。周波数再利用係数（Ｎ）が１の時最大スペクトル効率が達成され、これにより全体のスペクトルが移動体通信ネットワークの各セルで再利用される。しかしながら、周波数再利用係数（Ｎ）が１の時、セル外干渉は最大となり、従ってカバレッジは最悪となる。
【０００４】
スペクトル効率は、移動体通信ネットワーク内にとどまるために、無線通信リンク、又はエアリンクに必要な最小限の信号対干渉雑音比（Ｓｉｇｎａｌ−ｔｏ−Ｉｎｔｅｒｆｅｒｅｎｃｅ−ｐｌｕｓ−Ｎｏｉｓｅ（ＳＩＮＲ））によって概ね決定することができる。例えば、高度携帯電話システム（Ａｄｖａｎｃｅｄ  Ｍｏｂｉｌｅ  Ｐｈｏｎｅ  Ｓｙｓｔｅｍ（ＡＭＰＳ））は通常は＋１８デシベル（ｄＢ）より大きいか等しいＳＩＮＲを必要とする。従って、ＡＭＰＳにおいてＣＧｏＳを達成するために、必要なＳＩＮＲを達成するのに非常に大きな周波数再利用係数Ｎ＝２１が必要となる。別の例として、拡散、非拡散過程による通信処理利得の結果として、−１４ｄＢの低いＳＩＮＲ値で符号分割多元接続（Ｃｏｄｅ  Ｄｉｖｉｓｉｏｎ  Ｍｕｌｔｉｐｌｅ  Ａｃｃｅｓｓ（ＣＤＭＡ））システムが動作することができる。従って、Ｎ＝１の周波数再利用係数をＣＤＭＡシステムで使うことができる。
【０００５】
ＬＴＥに対し、無線通信リンクを維持するのに必要最小限のＳＩＮＲはおおよそ−５ｄＢである。しかしながら、Ｎ＝１の周波数再利用係数を有する十分に負荷が与えられたＬＴＥネットワークに対し、セルエッジのＳＩＮＲは−１２ｄＢより低くなり得ることをテスト結果は示している。従って、高い周波数再利用を維持するとともに、ＬＴＥ移動体通信ネットワークにおいて、カバレッジを向上させるためのシステムや方法が必要とされている。
【発明の概要】
【０００６】
本発明は、基地局（Ｂａｓｅ  Ｓｔａｔｉｏｎ（ＢＴＳ））とユーザデバイス間の通信リンク又はユーザ装置に対し、移動体通信ネットワークの通信リンクチャネルを通してパワーブーストすることに関する。一の実施形態において、通信リンクはダウンリンクである。基地局は、基地局によりサービスを受けるセルのセクタ内に位置するユーザデバイスへのダウンリンクがパワーブーストを必要とするかどうか決定する。より具体的には、もしユーザデバイスが基地局によりサービスを受けるセルのセル周辺領域内に位置していれば、基地局は、ダウンリンクがパワーブーストを必要としていると決定する。もしパワーブーストが必要であれば、基地局はユーザデバイスへのダウンリンクに対し、及びユーザデバイスが位置するセクタに隣接する１以上の隣接セクタのそれぞれに対しパワーブーストを提供し、パワーブーストを隣接するセクタのセル中心領域に位置する別のユーザデバイスへのダウンリンクに対するパワーバックオフと、周波数と時間の両方において調整する。１以上の隣接セクタは、隣接するセルの全ての隣接セクタであっても良いし、隣接するセルの全ての隣接セクタのサブセットであっても良い。これに加えて、１以上の隣接セクタはユーザデバイスが位置するセル内の１以上の隣接セクタを含んでも良い。ユーザデバイスに対するパワーブーストを、１以上の隣接セクタのセル中心領域に位置する他のユーザデバイスへのダウンリンクに対するパワーバックオフと調整することにより、パワーブーストによりもたらされる増大するセル外干渉の効果が緩和される。
【０００７】
他の実施形態においては、通信リンクはアップリンクである。基地局は、基地局によりサービスを受けるセルのセクタ内に位置するユーザデバイスのアップリンクがパワーブーストを必要とするかどうかを決定する。より具体的には、基地局は、もしユーザデバイスが基地局によりサービスを受けるセルのセル周辺領域内に位置していれば、アップリンクはパワーブーストを必要とすると決定する。もしパワーブーストが必要であれば、基地局はユーザデバイスからのアップリンクに対し、及びユーザデバイスが位置するセクタに隣接する１以上の隣接セクタのそれぞれに対しパワーブーストを提供し、パワーブーストを、隣接するセクタのセル中心領域に位置する別のユーザデバイスのアップリンクに対するパワーバックオフと、周波数と時間の両方において調整する。１以上の隣接セクタは、隣接するセルの全ての隣接セクタであっても良いし、隣接するセルの全ての隣接セクタのサブセットであっても良い。それに加えて、１以上の隣接セクタはユーザデバイスが位置するセル内の１以上の隣接セクタを含んでも良い。ユーザデバイスに対するパワーブーストを、１以上の隣接セクタのセル中心領域に位置する他のユ−ザデバイスへのアップリンクに対するパワーバックオフと調整することにより、パワーブーストによりもたらされる増大するセル外干渉の効果が緩和される。
【０００８】
当業者であれば添付の図面に関する好適な実施形態の以下の詳細な説明を読むことにより、本発明の範囲を理解し、その追加の特徴を理解するであろう。
【０００９】
この明細書に組み込まれ、その一部を形成する添付図面は、本発明のいくつかの特徴を示し、その記載とともに発明の原理を説明する。
【図面の簡単な説明】
【００１０】
【図１】基地局が本発明の一の実施形態にかかる調整されたパワーブースト及びパワーバックオフを提供する移動体通信ネットワークを示す図である。
【図２Ａ】本発明の一の実施形態にかかるパワーブーストを示すグラフである。
【図２Ｂ】本発明の一の実施形態にかかるパワーブーストを示すグラフである。
【図３Ａ】本発明の一の実施形態にかかるダウンリンクに対するパワーブーストとパワーバックオフ方式の調整を実行する基地局の動作を説明するためのフローチャートである。
【図３Ｂ】本発明の一の実施形態にかかるダウンリンクに対するパワーブーストとパワーバックオフ方式の調整を実行する基地局の動作を説明するためのフローチャートである。
【図４Ａ】本発明の一の実施形態にかかるアップリンクに対するパワーブーストとパワーバックオフ方式の調整を実行する基地局の動作を説明するためのフローチャートである。
【図４Ｂ】本発明の一の実施形態にかかるアップリンクに対するパワーブーストとパワーバックオフ方式の調整を実行する基地局の動作を説明するためのフローチャートである。
【図５】本発明の一の実施形態にかかる基地局のブロック図である。
【図６】本発明の一の実施形態にかかるユーザ装置（ＵＥ）のブロック図である。
【発明を実施するための形態】
【００１１】
【００１２】
【００１３】
【００１４】
【００１５】
【００１６】
以下に述べる実施形態は、当業者が本発明を実施するために必要な情報を示し、発明を実施する最良のモードを説明する。添付の図面を参照して以下の説明を読むと、当業者であれば発明の概念を理解し、ここには具体的には示されていないこれらの概念の応用を認識するであろう。これらの概念と応用は、開示の範囲に入り、添付するクレームの範囲に入ることが理解されるべきである。
【００１７】
図１は、本発明の一の実施形態にかかる移動体通信ネットワーク１０を示している。好ましい実施形態において、移動体通信ネットワーク１０はロングタームイボリューション（ＬＴＥ）移動体通信ネットワークである。しかしながら、本発明はこれに限定されない。本発明は、高スペクトル効率を維持しながらカバレッジを拡大するためにパワーブーストが要望されるいかなるセルベースのあるいは移動体通信ネットワークで利用されてもよい。一般的には、移動体通信ネットワーク１０は、移動体通信ネットワーク１０の対応するセル１４−１〜１４−７を形成する複数の基地局（ＢＴＳ）１２−１〜１２−７を有する。基地局１２−１〜１２−７及びセル１４−１〜１４−７は、ここでは一般的には基地局１２、セル１４と呼んでも良い。セル１４のそれぞれは、アルファセクタ（α）、ベータセクタ（β）、ガンマセクタ（γ）を有する。説明の簡易化ため、７つの基地局１２−１〜１２−７、及び対応するセル１４−１〜１４−７のみ図示しているが、移動体通信ネットワーク１０がいかなる数の基地局１２及び対応するセル１４を有してもよいことは、当業者にとっては明白である。さらに、この実施形態では、各セル１４は３つのセクタを有するが、本発明はこれには限定されない。各セル１４が有するセクタの数は、いくつであっても良い。
【００１８】
まずセル１４−１を見ると、セル１４−１のアルファセクタは、セル周辺領域１６−１、セル中間領域１８−１、セル中心領域２０−１を有する。同様に、セル１４−１のベータセクタ及びガンマセクタは、セル周辺領域１６−２及び１６−３、セル中間領域１８−２及び１８−３、セル中心領域２０−２及び２０−３をそれぞれ有する。セル１４−１のアルファ、ベータ、ガンマセクタのセル周辺領域１６−１、１６−２、１６−３は、ここでは一般的にセル１４−１のセル周辺領域１６と呼ぶ。同様に、セル１４−１のアルファ、ベータ、ガンマセクタのセル中間領域１８−１、１８−２、１８−３は、ここでは一般的にセル１４−１のセル中間領域１８と呼び、及びセル１４−１のアルファ、ベータ、ガンマセクタのセル中心領域２０−１、２０−２、２０−３は、ここでは一般的にセル１４−１のセル中心領域２０と呼ぶ。
【００１９】
好ましい実施形態において、セル１４−１のセル周辺領域１６は、ユーザ装置（ＵＥ）と基地局１２−１間の通信リンク（即ちアップリンク及び／又はダウンリンク）に対する信号対干渉雑音比（ＳＩＮＲ）が最小ＳＩＮＲ（ＳＩＮＲMIN）より小さいセル１４−１のエリアである。最小ＳＩＮＲ（ＳＩＮＲMIN）は、好ましくは基地局１２−１とのアップリンク及び／又はダウンリンク接続を維持するのに必要な最小ＳＩＮＲ（ＳＩＮＲMIN）である。ＬＴＥ移動体通信ネットワークにおいて、最小ＳＩＮＲ（ＳＩＮＲMIN）は、約−５デシベル（ｄＢ）である。セル１４−１のセル中心領域２０は、ＵＥと基地局１２−１間のアップリンク及び／又はダウンリンクに対するＳＩＮＲが最大ＳＩＮＲ（ＳＩＮＲMAX）より大きいセル１４−１のエリアである。最大ＳＩＮＲ（ＳＩＮＲMAX）は、好ましくはＵＥに対するスループットが最大となるＳＩＮＲ値である。ＬＴＥ移動体通信ネットワークに対し、最大ＳＩＮＲ（ＳＩＮＲMAX）はシングルインプットシングルアウトプット（ＳＩＳＯ）ＵＥの場合約＋１９ｄＢとなる。ＬＴＥ移動体通信ネットワークにおいて、ＳＩＮＲが＋１９ｄＢの時、最大のスループットを提供する変調及び符号化方式が使われ、それは３／４符号化速度において６４直交振幅変調（ＱＡＭ）である。従って＋１９ｄＢを超えるＳＩＮＲのスループットの改良により、さらにスループットが向上することはない。セル１４−１のセル中間領域１８は、ＵＥと基地局１２−１間のアップリンク及び／又はダウンリンクに対するＳＩＮＲが最小ＳＩＮＲ（ＳＩＮＲMIN）より大きく、最大ＳＩＮＲ（ＳＩＮＲMAX）より小さいセル１４−１のエリアである。
【００２０】
セル１４−２のアルファ、ベータ、ガンマセクタはセル周辺領域２２−１、２２−２、２２−３、セル中間領域２４−１、２４−２、２４−３、セル中心領域２６−１、２６−２、２６−３を有する。セル周辺領域２２−１、２２−２、２２−３、セル中間領域２４−１、２４−２、２４−３、セル中心領域２６−１、２６−２、２６−３は、ここでは一般的にそれぞれセル１４−２のセル周辺領域２２、セル１４−２のセル中間領域２４、セル１４−２のセル中心領域２６と呼ぶ。セル１４−１について説明したように、セル周辺領域２２はＵＥに対するアップリンク及び／又はダウンリンクが最小ＳＩＮＲ（ＳＩＮＲMIN）より小さいＳＩＮＲを有するセル１４−２のエリアである。セル中間領域２４は、ＵＥに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−２のエリアであり、セル中心領域２６は、ＵＥに対するアップリンク及び／又はダウンリンクが最大ＳＩＮＲ（ＳＩＮＲMAX）より大きいＳＩＮＲを有するセル１４−２のエリアである。
【００２１】
セル１４−３のアルファ、ベータ、ガンマセクタは、セル周辺領域２８−１、２８−２、２８−３、セル中間領域３０−１、３０−２、３０−３、セル中心領域３２−１、３２−２、３２−３を有する。セル周辺領域２８−１、２８−２、２８−３、セル中間領域３０−１、３０−２、３０−３、セル中心領域３２−１、３２−２、３２−３は、ここでは一般的にそれぞれセル１４−３のセル周辺領域２８、セル１４−３のセル中間領域３０、セル１４−３のセル中心領域３２と呼ぶ。セル１４−１について説明したように、セル周辺領域２８はＵＥに対するアップリンク及び／又はダウンリンクが最小ＳＩＮＲ（ＳＩＮＲMIN）より小さいＳＩＮＲを有するセル１４−３のエリアである。セル中間領域３０は、ＵＥに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−３のエリアであり、セル中心領域３２は、ＵＥに対するアップリンク及び／又はダウンリンクが最大ＳＩＮＲ（ＳＩＮＲMAX）より大きいＳＩＮＲを有するセル１４−３のエリアである。
【００２２】
セル１４−４のアルファ、ベータ、ガンマセクタは、セル周辺領域３４−１、３４−２、３４−３、セル中間領域３６−１、３６−２、３６−３、セル中心領域３８−１、３８−２、３８−３を有する。セル周辺領域３４−１、３４−２、３４−３、セル中間領域３６−１、３６−２、３６−３、セル中心領域３８−１、３８−２、３８−３は、ここでは一般的にそれぞれセル１４−４のセル周辺領域３４、セル１４−４のセル中間領域３６、セル１４−４のセル中心領域３８と呼ぶ。セル１４−１について説明したように、セル周辺領域３４はＵＥに対するアップリンク及び／又はダウンリンクが最小ＳＩＮＲ（ＳＩＮＲMIN）より小さいＳＩＮＲを有するセル１４−４のエリアである。セル中間領域３６は、ＵＥに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−４のエリアであり、セル中心領域３８はＵＥに対するアップリンク及び／又はダウンリンクが最大ＳＩＮＲ（ＳＩＮＲMAX）より大きいＳＩＮＲを有するセル１４−４のエリアである。
【００２３】
セル１４−５のアルファ、ベータ、ガンマセクタは、セル周辺領域４０−１、４０−２、４０−３、セル中間領域４２−１、４２−２、４２−３、セル中心領域４４−１、４４−２、４４−３を有する。セル周辺領域４０−１、４０−２、４０−３、セル中間領域４２−１、４２−２、４２−３、セル中心領域４４−１、４４−２、４４−３は、ここでは一般的にそれぞれセル１４−５のセル周辺領域４０、セル１４−５のセル中間領域４２、セル１４−５のセル中心領域４４と呼ぶ。セル１４−１について説明したように、セル周辺領域４０は、ＵＥに対するアップリンク及び／又はダウンリンクが最小ＳＩＮＲ（ＳＩＮＲMIN）より小さいＳＩＮＲを有するセル１４−５のエリアである。セル中間領域４２は、ＵＥに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−５のエリアであり、セル中心領域４４は、ＵＥに対するアップリンク及び／又はダウンリンクが最大ＳＩＮＲ（ＳＩＮＲMAX）より大きいＳＩＮＲを有するセル１４−５のエリアである。
【００２４】
セル１４−６のアルファ、ベータ、ガンマセクタは、セル周辺領域４６−１、４６−２、４６−３、セル中間領域４８−１、４８−２、４８−３、セル中心領域５０−１、５０−２、５０−３を有する。セル周辺領域４６−１、４６−２、４６−３、セル中間領域４８−１、４８−２、４８−３、セル中心領域５０−１、５０−２、５０−３は、ここでは一般的にそれぞれセル１４−６のセル周辺領域４６、セル１４−６のセル中間領域４８、セル１４−６のセル中心領域５０と呼ぶ。セル１４−１について説明したように、セル周辺領域４６は、ＵＥに対するアップリンク及び／又はダウンリンクが最小ＳＩＮＲ（ＳＩＮＲMIN）より小さいＳＩＮＲを有するセル１４−６のエリアである。セル中間領域４８は、ＵＥに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−６のエリアであり、セル中心領域５０は、ＵＥに対するアップリンク及び／又はダウンリンクが最大ＳＩＮＲ（ＳＩＮＲMAX）より大きいＳＩＮＲを有するセル１４−６のエリアである。
【００２５】
セル１４−７のアルファ、ベータ、ガンマセクタは、セル周辺領域５２−１、５２−２、５２−３、セル中間領域５４−１、５４−２、５４−３、セル中心領域５６−１、５６−２、５６−３を有する。セル周辺領域５２−１、５２−２、５２−３、セル中間領域５４−１、５４−２、５４−３、セル中心領域５６−１、５６−２、５６−３は、ここでは一般的にそれぞれセル１４−７のセル周辺領域５２、セル１４−７のセル中間領域５４、セル１４−７のセル中心領域５６と呼ぶ。セル１４−１について説明したように、セル周辺領域５２は、ＵＥに対するアップリンク及び／又はダウンリンクが最小ＳＩＮＲ（ＳＩＮＲMIN）より小さいＳＩＮＲを有するセル１４−７のエリアである。セル中間領域５４は、ＵＥｓに対するアップリンク及び／又はダウンリンクが最小ＳＩＮＲ（ＳＩＮＲMIN）より大きく、最大ＳＩＮＲ（ＳＩＮＲMAX）より小さいＳＩＮＲを有するセル１４−７のエリアであり、セル中心領域５６は、ＵＥに対するアップリンク及び／又はダウンリンクが最大ＳＩＮＲ（ＳＩＮＲMAX）より大きいＳＩＮＲを有するセル１４−７のエリアである。
【００２６】
動作時には、基地局１２−１〜１２−７は、バックホールネットワーク５８を介して、それぞれのセルのセクタの個々のセル周辺領域においてＵＥのための通信リンク（即ち、アップリンク及び／又はダウンリンク）のパワーブーストと、隣接セルの隣接セクタのセル中心領域におけるＵＥのための通信リンクのパワーバックオフとを調整するために通信し、これにより移動体通信ネットワーク１０のカバレッジを拡大する。バックホールネットワーク５８はイーサネット又はファイバネットワークのような有線ネットワークであっても良いし、無線ネットワークであっても良く、あるいはこれらの組み合わせであっても良い。より具体的には、１つの実施形態において、例として基地局１２−１を用いれば、基地局１２−１はセル１４−１内にある、この例ではＵＥ６０、６２、６４、６６、６８を含むＵＥの通信リンクＳＩＮＲをモニタする。最小ＳＩＮＲ（ＳＩＮＲMIN）より大きく最大ＳＩＮＲ（ＳＩＮＲMAX）より小さい通信リンクＳＩＮＲを有するＵＥ６８のようなＵＥは、セル１４−１のセル中間領域１８に位置している。この場合、基地局１２−１は、これらのＵＥに対してパワーブースト又はパワーバックオフを行っていない。
【００２７】
最小ＳＩＮＲ（ＳＩＮＲMIN）より小さい通信リンクＳＩＮＲを有するＵＥは、セル１４−１のセル周辺領域１６に位置している。この例では、ＵＥ６０、６２、６４がセル１４−１のセル周辺領域１６に位置している。ＵＥ６０、６２、６４の通信リンクＳＩＮＲを基地局１２−１とＵＥ６０、６２、６４間の通信リンクを維持できる程度にまで改良するために、基地局１２−１は、ＵＥ６０、６２、６４のために通信リンクに対するパワーブーストを提供する。各ＵＥ６０、６２、６４に対し、パワーブースト量は、最小ＳＩＮＲ（ＳＩＮＲMIN）とそのＵＥの通信リンクＳＩＮＲ間の差に関連している。
【００２８】
最大ＳＩＮＲ（ＳＩＮＲMAX）より大きい通信リンクＳＩＮＲを有するＵＥは、セル１４−１のセル中心領域２０内に位置している。この例では、ＵＥ６６がセル１４−１のセル中心領域２０内に位置している。ＵＥ６６は、最大スループットに必要な値を超える通信リンクＳＩＮＲを有しているので、パワーバックオフと隣接セクタのパワーブーストによりもたらされる干渉の増加の総合効果がＵＥ６６の約最大ＳＩＮＲ（ＳＩＮＲMAX）の通信リンクＳＩＮＲになるように、基地局１２−１は、ＵＥ６６のパワーを低減する。
【００２９】
さらに、セル１４−１のセル周辺領域１６のＵＥの通信リンクに対して提供されるパワーブーストによりもたらされる追加の干渉の効果を弱め、及びパワーが増大された信号の衝突を避けるために、基地局１２−１は、周波数と時間の両方により、パワーブーストと隣接セクタのパワーバックオフとを調整する。好ましい実施形態において例としてＵＥ６０を用いれば、基地局１２−１は、セル１４−１のアルファセクタに位置するＵＥ６０への通信リンクに対するパワーブーストと、各隣接セクタの個々のセル中心領域におけるＵＥへの通信リンクに対するパワーバックオフとを周波数と時間の両方において調整する。従って、この実施形態では、基地局１２−１は、ＵＥ６０への通信リンクに対するパワーブーストと、セル１４−２のベータセクタのセル中心領域２６−３に位置するＵＥへの通信リンクに対するパワーバックオフとを調整し、セル１４−２のガンマセクタのセル中心領域２６−２に位置するＵＥへの通信リンクに対するパワーバックオフとを調整し、セル１４−３のガンマセクタのセル中心領域３２−２に位置するＵＥの通信リンクのパワーバックオフとを調整し、そしてセル１４−７のベータセクタのセル中心領域５６−３に位置するＵＥへの通信リンクに対するパワーバックオフとを調整する。さらに、基地局１２−１は、ＵＥ６０のパワーブーストとセル１４−１のベータセクタのセル中心領域２０−３にあるＵＥの通信リンクに対するパワーバックオフとを、及びセル１４−１のガンマセクタのセル中心領域２０−２のＵＥ６６のようなＵＥの通信リンクに対するパワーバックオフとを周波数と時間の両方において調整してもよい。
【００３０】
図２Ａ、２Ｂは、本発明の一の実施形態にかかるパワーブーストを示している。図２Ａ、２Ｂを具体的に説明する前に、ダウンリンク及びアップリンクチャネルの説明が必要である。基地局１２−１〜１２−７により使用されるダウンリンクチャネルは、データが送信される多数のサブキャリア周波数を含む全チャネル帯域を有する。ＬＴＥに対し、ダウンリンクチャネルは、特定の実行に応じて１．２５メガルツ（ＭＨｚ）、２．５ＭＨｚ、５ＭＨｚ、１０ＭＨｚ、１５ＭＨｚ、２０ＭＨｚの全チャネル帯域を有する直交周波数分割多元接続（ＯＦＤＭＡ）チャネルである。全チャネル帯域内でデータは多数のサブキャリア周波数で変調される。セル１４−１に位置するＵＥのダウンリンクを提供するために、ダウンリンクチャネル内リソースブロック（ＲＢ）は、必要に従いＵＥに割り当てられる。１つのＲＢは、周波数ドメイン内の１２の連続サブキャリア周波数及び時間ドメイン内の１４の連続シンボルで形成され、これは、周波数ドメイン内１８０キロヘルツ（ＫＨｚ）に相当し、時間ドメイン内１ミリセコンド（ｍｓ）、あるいは１サブフレームに相当する。同様に、基地局１２−１〜１２−７により使用されるアップリンクチャネルは、データが送信される多数のサブキャリア周波数を含む全チャネル帯域を有している。ＬＴＥに対し、アップリンクチャネルは、特定の実行に応じて１．２５メガルツ（ＭＨｚ）、２．５ＭＨｚ、５ＭＨｚ、１０ＭＨｚ、１５ＭＨｚ、２０ＭＨｚの全チャネル帯域を有するシングルキャリア周波数分割多元接続（ＳＣ−ＦＤＭＡ）チャネルである。全チャネル帯域内で、データは多数のサブキャリア周波数で変調される。セル１４−１に位置するＵＥのアップリンクを提供するために、アップリンクチャネル内リソースブロック（ＲＢ）は、必要に従いＵＥに割り当てられる。
【００３１】
図２Ａは、パワーブーストしない場合のダウンリンク又はアップリンクチャネルの全チャネル帯域における信号電力密度、熱ノイズ密度、及びセル外干渉を示している。図示のように、信号電力密度は全チャネル帯域にわたって広がっている。図２は、本発明の一の実施形態にかかるパワーブーストの後での信号電力密度、熱ノイズ密度、セル外干渉を示している。一例として、基地局１２−１とＵＥ６０を使うと、ＵＥ６０のダウンリンクのパワーブーストを行うために、基地局１２−１は、ダウンリンクチャネルのサブチャネルとして狭帯域チャネルを設ける。換言すると、狭帯域チャネルは、ダウンリンクチャネルのサブキャリア周波数のサブセットによって形成される。さらに、狭帯域チャネルの帯域は、ダウンリンクチャネルの全帯域の一部である。ＵＥ６０へのダウンリンクは、ＵＥ６０のダウンリンクに対する狭帯域チャネルにおいて１以上のＲＢを割りあてることで設けられる。ＵＥ６０へのダウンリンクのために狭帯域チャネルを使いながら、信号電力又は送信電力を一定に保つことにより、信号パワー密度は、ダウンリンクチャネルの全帯域全体に広がることなく狭チャネル帯域に集中する。信号電力密度の集中によりＵＥ６０のダウンリンクのパワーが増大する。同様に、ＵＥ６０のアップリンクに対してパワーが増大してもよい。ここで、図２Ｂは、狭帯域チャネルを多数の連続するあるいは隣接するサブキャリア周波数として示すが、本発明はこれに限定されない。狭帯域チャネルを形成するサブキャリア周波数は、１以上の連続するサブキャリア周波数であっても、１以上の非連続サブキャリア周波数であっても、あるいはそれらの組合せであっても良い。
【００３２】
信号電力密度を集中することによって、サブキャリア周波数毎のＳＩＮＲ又はトーン毎のＳＩＮＲは、全帯域チャネルのＳＩＮＲと比べて大幅に増加する。具体的には、チャネル毎のＳＩＮＲ、（ＳＩＮＲCHANNEL）は以下のように定義される。
【数１】
2012512547.tif 000003
ここで、ＰFULL_CHANNEL_BWは全チャネル帯域内の合計信号電力であり、ＩｎｔｅｒｆｅｒｅｎｃｅFULL_CHANNEL_BWは全チャネル帯域内の合計干渉であり、Ｔｈｅｒｍａｌ＿ＮｏｉｓｅFULL_CHANNEL_BWは全チャネル帯域内の熱ノイズパワーである。サブキャリア周波数毎のＳＩＮＲ又はトーン毎のＳＩＮＲ（ＳＩＮＲTONE）は以下のように定義される。
【数２】
2012512547.tif 000004
ここで、ＰTONE_BWはトーン帯域内合計信号電力であり、ＩｎｔｅｒｆｅｒｅｎｃｅTONE_BWはトーン帯域内合計干渉であり、Ｔｈｅｒｍａｌ＿ＮｏｉｓｅTONE_BWはトーン帯域内熱ノイズパワーである。図２Ａに示すように、信号電力が全帯域に亘って一様に広がる時、チャネル毎のＳＩＮＲ（ＳＩＮＲCHANNEL）はトーン毎のＳＩＮＲ（ＳＩＮＲTONE）と等しい。対照的に、図２Ｂに示すように、信号電力が狭帯域チャネルに集中する時、トーン毎のＳＩＮＲ、（ＳＩＮＲTONE）は以下のように定義される。
【数３】
2012512547.tif 000005
ここで、パワーブーストは、狭帯域チャネルの信号電力の集中によりもたらされるゲイン[ｄＢ]である。一般的に、パワーブーストは、全チャネル帯域と狭帯域チャネルの狭チャネル帯域の比率に関係する。具体的には、パワーブーストは、以下のように定義される。
【数４】
2012512547.tif 000006
【００３３】
図３Ａ及び３Ｂは、本発明の一の実施形態にかかる、ダウンリンクの調整されたパワーブーストとパワーバックオフのスキームを実行する基地局の動作を示すフローチャートである。この説明において、基地局は図１の基地局１２−１である。しかしながら、この説明は移動体通信ネットワーク１０の他の基地局１２−２〜１２−７にも同様に適用される。まず、基地局１２−１は、ＵＥからダウンリンクＳＩＮＲを取得する（ステップ１００）。一の実施形態では、ＬＴＥ移動体通信ネットワークに対して基地局１２−１はＵＥへリクエストを発信し、ＵＥがチャネル品質インデックス（ＣＱＩ）を基地局１２−１へ伝えるように指示する。ここで、ＣＱＩはＵＥのダウンリンクＳＩＮＲを有している。これに応じて、ＵＥは基地局１２−１へＣＱＩを伝える。
【００３４】
次いで基地局１２−１は、ＵＥのダウンリンクＳＩＮＲが最小ＳＩＮＲ（ＳＩＮＲMIN）より大きく、最大ＳＩＮＲ（ＳＩＮＲMAX）より小さいか否かを決定する（ステップ１０２）。換言すれば、基地局１２−１は、ＵＥがセル１４−１のセル中間領域１８内に位置しているか否か決定する。ＵＥがセル１４−１のセル中間領域１８内に位置している場合、基地局１２−１は、全チャネル帯域を有するダウンリンクチャネルを使って、全送信パワーレベルで適切な変調及び符号化方式（ＭＣＳ）を用いて、ＵＥへのダウンリンクをスケジュールする（ステップ１０４）。より具体的には、ＬＴＥ移動体通信ネットワークに対して、基地局１２−１は、ＵＥのダウンリンクＳＩＮＲに基づいて、ＵＥの適切なＭＣＳを選択する。さらに、全送信パワーレベルは、基地局１２−１の最大送信パワーであっても良いし、基地局１２−１の最大送信パワーから所定レベル低減したものであっても良い。基地局１２−１は、ＵＥへのダウンリンクに対する１以上の送信時間のインターバル（ＴＴＩｓ）の間に、１以上のサブキャリア周波数を割り当てることにより、ＵＥへのダウンリンクをスケジュールする。ＬＴＥ移動体通信ネットワークに対し、基地局１２−１は、ＵＥへのダウンリンクに対し１以上のＲＢを割り当てることにより、ＵＥへのダウンリンクをスケジュールする。次いでプロセスはステップ１００に戻り、繰り返される。
【００３５】
ステップ１０２に戻り、もしＵＥのダウンリンクＳＩＮＲが最小ＳＩＮＲ（ＳＩＮＲMIN）より大きくなく、最大ＳＩＮＲ（ＳＩＮＲMAX）より小さければ、（即ちもしＵＥがセル１４−１のセル中間領域１８内に位置していなければ）、基地局１２−１はダウンリンクＳＩＮＲが最大ＳＩＮＲ（ＳＩＮＲMAX）より大きいか否か決定する（ステップ１０６）。換言すれば、基地局１２−１は、ＵＥがセル１４−１のセル中心領域２０内にあるか否かを決定する。ＵＥがセル１４−１のセル中心領域２０内にある場合、この実施形態では、基地局１２−１はＵＥがＳＩＳＯ（直列入力直列出力）デバイスであるか否かを決定する（ステップ１０８）。ここで、ＬＴＥ移動体通信ネットワークに対して、ダウンリンクＳＩＮＲがＬＴＥに対し約＋１９ｄＢである最大ＳＩＮＲ（ＳＩＮＲMAX）を超えて増加する場合でも、多重入出力（ＭＩＭＯ）デバイスは、スループットを改良してもよい。もしＵＥがＳＩＳＯデバイスでなければ、基地局１２−１は、全チャネル帯域を有するダウンリンクチャネルを使って、全送信パワーレベルで適切なＭＣＳを用いて、ＵＥへのダウンリンクをスケジュールする（ステップ１１０）。基地局１２−１は、ＵＥへのダウンリンクに対する１以上のＴＴＩｓの間に、１以上のサブキャリア周波数を割り当てることによりＵＥへのダウンリンクをスケジュールする。ＬＴＥ移動体通信ネットワークにおいて、基地局１２−１はＵＥへのダウンリンクに対し１以上のＲＢｓを割り当てることによりＵＥへのダウンリンクをスケジュールする。次いでプロセスはステップ１００に戻り、繰り返される。
【００３６】
ステップ１０８に戻り、もしＵＥがＳＩＳＯデバイスであれば、基地局１２−１は、全チャネル帯域を有するダウンリンクチャネルを使って、低減された送信パワーレベルで適切なＭＣＳを用いてＵＥへのダウンリンクをスケジュールし、それによってＵＥへのダウンリンクに対するパワーを低減する（ステップ１１２）。より具体的には、基地局１２−１は、ＵＥへのダウンリンクに対する１以上のＴＴＩｓの間に、１以上のサブキャリア周波数を割り当てることによりＵＥへのダウンリンクをスケジュールする。ＬＴＥ移動体通信ネットワークに対し、基地局１２−１は、ＵＥへのダウンリンクに対し１以上のＲＢを割り当てることによりＵＥへのダウンリンクをスケジュールする。さらに、ＵＥへのダウンリンクに対する割り当てのためのサブキャリア周波数及びＴＴＩの選択において、又はＲＢの選択において、基地局１２−１は、ＵＥが位置するセル１４−１内のセクタの隣接セクタにおける、バックホールネットワーク５８を介して対応の基地局により伝えられるパワーブーストやパワーバックオフに関する情報を考慮してもよい（図１）。例えば、もしＵＥがセル１４−１のアルファセクタに位置していれば、基地局１２−１は、セル１４−１のアルファセクタに隣接するセル１４−２のベータ及びガンマセクタ、セル１４−３のガンマセクタ、セル１４−７のベータセクタから伝えられるパワーブーストやパワーバックオフに関する情報を考慮してもよい。パワーブーストやパワーバックオフに関する情報は、好適には、隣接のセクタにおいて基地局１２−２、１２−３、及び１２−７が現在行っているパワーブーストで用いるサブキャリア周波数やＲＢサブキャリア周波数グループを特定する情報や、これらのサブキャリア周波数やＲＢサブキャリア周波数グループのそれぞれに対するパワーブースト量を含む。これに加え、パワーブーストやパワーバックオフに関する情報は、好適には、隣接のセクタにおいて基地局１２−２、１２−３、及び１２−７が現在行っているパワーバックオフで用いるサブキャリア周波数やＲＢサブキャリア周波数グループを特定する情報や、これらのサブキャリア周波数やＲＢサブキャリア周波数グループのそれぞれに対するパワーバックオフ量を含む。これに加え、基地局１２−１は、セル１４−１内の隣接セクタのパワーブーストやパワーバックオフに関する情報を考慮してもよい。
【００３７】
ダウンリンクがスケジュールされると、基地局１２−１は他の基地局１２−２〜１２−７に対し、バックホールネットワーク５８を介してＵＥへのダウンリンクに対する使用のためにスケジュールされたサブキャリア周波数又はＲＢサブキャリア周波数グループを通知する（ステップ１１４）。ＬＴＥ移動体通信ネットワークに対し、基地局１２−１は、Ｘ２メッセージを使用する他の基地局１２−２〜１２−７に対して通知する。具体的には、基地局１２−１は、相対的狭帯域送信パワーインジケータ（（ＲｅｌａｔｉｖｅＮａｒｒｏｗｂａｎｄＴｒａｎｓｍｉｔ）（Ｔｘ）Ｐｏｗｅｒ（ＲＮＴＰ）ｉｎｄｉｃａｔｏｒ）を介してＵＥへのダウンリンクに対しスケジュールされ選択されるサブキャリア周波数やＲＢサブキャリア周波数グループへ低干渉状態を伝達する。この時、プロセスはステップ１００に戻り、繰り返される。
【００３８】
ステップ１０６に戻り、ＵＥのダウンリンクＳＩＮＲが最大ＳＩＮＲ（ＳＩＮＲMAX）より大きくない場合、ＵＥはセル１４−１のセル周辺領域１６内に位置している。従って、パワーブーストが必要となる。この実施形態では、パワーブーストを実施するために、基地局１２−１はまずＵＥからのダウンリンクチャネルの各サブバンドに対するサブバンドＳＩＮＲを取得する（ステップ１１６）。一の実施形態では、ＬＴＥ移動体通信ネットワークに対し、基地局１２−１はダウンリンクチャネルにおけるサブバンドＣＱＩのリクエストをＵＥへ送信する。これに応答して、ＵＥはサブバンドＳＩＮＲを含むサブバンドＣＱＩを基地局１２−１へ送信する。
【００３９】
次に、基地局１２−１は、伝えられた隣接するセクタのパワーブーストやパワーバックオフに関する情報に基づいて、狭帯域チャネルが望ましいパワーブーストを実施するのに十分な狭帯域を有するように、狭帯域チャネルに対しダウンリンクチャネルのサブキャリア周波数のサブセットを特定する（ステップ１１８）。より具体的には、狭帯域チャネルに対しサブキャリア周波数又はＲＢサブキャリア周波数グループを選択する時、基地局１２−１は、バックホールネットワーク５８を介して対応の基地局により伝えられる、ＵＥが位置するセクタの隣接するセクタのパワーブーストやパワーバックオフに関する情報を考慮する（図１）。従って、例えば、もしＵＥがセル１４−１のアルファセクタに位置していれば、セル１４−１のアルファセクタの隣接セクタである、セル１４−２のベータ及びガンマセクタ、セル１４−３のガンマセクタ、及びセル１４−７のベータセクタから伝えられるパワーブーストやパワーバックオフに関する情報を基地局１２−１は考慮する。パワーブーストやパワーバックオフに関する情報は、好適には、隣接のセクタにおいて基地局１２−２、１２−３、及び１２−７が現在行っているパワーブーストで用いるサブキャリア周波数やＲＢサブキャリア周波数グループを特定する情報や、これらのサブキャリア周波数やＲＢサブキャリア周波数グループのそれぞれに対するパワーブースト量を含む。これに加え、パワーブーストやパワーバックオフに関する情報は、好適には、隣接のセクタにおいて基地局１２−２、１２−３、及び１２−７が現在行っているパワーバックオフで用いるサブキャリア周波数やＲＢサブキャリア周波数グループを特定する情報や、これらのサブキャリア周波数やＲＢサブキャリア周波数グループのそれぞれに対するパワーバックオフ量を含む。これに加え、基地局１２−１は、セル１４−１内の隣接セクタのパワーブーストやパワーバックオフに関する情報を考慮してもよい。
【００４０】
隣接するセクタにおけるパワーブーストやパワーバックオフに関する情報に基づいて、基地局１２−１は、ＵＥへのダウンリンクに対するパワーブーストが隣接セクタのパワーバックオフと調整されるように狭帯域チャネルのサブキャリア周波数又はＲＢサブキャリア周波数グループを選択することができる。具体的には、一の実施形態において、基地局１２−１は、パワーブーストやパワーバックオフに関する情報に応じて、（１）隣接するセクタのそれぞれにおいて現在パワーバックオフに使われており、及び（２）別の隣接するセクタにより現在パワーブーストに使われていない、狭帯域チャネルに対するサブキャリア周波数又はＲＢサブキャリア周波数を選択する。次いで、選択されたサブキャリア周波数又はＲＢサブキャリア周波数の少なくとも１つのサブセットを用いて、基地局１２−１は、望ましいパワーブーストを提供するためにダウンリンクチャネルの全チャネル帯域と比較して十分に低減された狭チャネル帯域を有する狭帯域チャネルを提供する。
【００４１】
好ましい実施形態において、別のセル内の各隣接するセクタにおいて、あるいは同一セル内の各隣接するセクタにおいて、パワーブーストはパワーバックオフと調整される。しかしながら、各隣接するセクタにおけるパワー増体とパワーバックオフとの調整は、２つの状態のいずれかにおいて不可能となり得る。第１の状態は、１以上の隣接するセクタが、パワーバックオフにサブキャリア周波数又はＲＢサブキャリア周波数を現在使用中のセル中心領域にＵＥを１つも有していない場合である。第２の状態は、１以上の隣接セクタが、別の隣接するセクタ内でパワーバックオフに現在使用中であり、かつパワーブーストに未だ使われていない、サブキャリア周波数又はＲＢサブキャリア周波数グループを有していない場合である。これらいずれかの状態においては、パワーブーストをパワーバックオフと調整するよりも基地局１２−１は、隣接するセクタからのパワーブースト信号との衝突を避けるようにパワーブーストを調整しても良い。具体的には、隣接するセクタに対して伝えられるパワーブーストやパワーバックオフに関する情報に基づいて、基地局１２−１は、どのサブキャリア周波数が、あるいはどのＲＢサブキャリア周波数グループが隣接するセクタにおいて未だパワーブーストのために使用されていないかどうかを決定することができる。次いで基地局１２−１は、狭帯域チャネルに対して、他のサブキャリア周波数あるいは他のＲＢサブキャリア周波数グループを選択することができる。
【００４２】
一の実施形態において、望ましいパワーブーストは、最小ＳＩＮＲ（ＳＩＮＲMIN）とＵＥのダウンリンクＳＩＮＲ間の差である。これは、セル外干渉が熱ノイズよりはるかに少ない（Ｉ＜＜ｎ）、カバレッジが制限される状況、あるいはノイズが制限される状況において特に有益である。カバレッジが制限される状況において、ＸｄＢのパワーブーストからもたらされるＵＥに対するＳＩＮＲの改良又はゲインはＸｄＢである。他の実施形態において、望ましいパワーブーストは、ＳＩＮＲMINマイナスＵＥに対するダウンリンクＳＩＮＲマイナスパワーブーストを調整するサブキャリア周波数又はＲＢサブキャリア周波数グループのパワーバックオフ量である。これは、セル外干渉が熱ノイズよりはるかに大きい（Ｉ＞＞ｎ）、干渉が制限される状況において特に有益である干渉が制限される状況において、ＹｄＢのパワーバックオフと調整されるＸｄＢのパワーブーストからもたらされるＵＥに対するＳＩＮＲの改良又はゲインは、Ｘ＋ＹｄＢである。
【００４３】
狭帯域チャネルの帯域は、パワーブーストの望ましい量に間接的に関連する。一の実施形態において、狭チャネル帯域は、以下の数式に基づいて決定されてもよい。
【数５】
2012512547.tif 000007
従って、
【数６】
2012512547.tif 000008
である。
このように、例えば、もし望ましいパワーブーストがサブキャリアにつき４．７７ｄＢであれば、狭チャネル帯域は全チャネル帯域の１／３となる。
【００４４】
次に、狭帯域チャネルにおいて、現在低量のあるいは少なくともセル外干渉量を経験しているサブキャリア周波数又はＲＢサブキャリア周波数グループについて、基地局１２−１はＵＥのダウンリンクをスケジュールする（ステップ１２０）。より具体的には、ステップ１１６で取得したサブバンドＳＩＮＲに基づいて、基地局１２−１は、閾値より大きいサブバンドＳＩＮＲを有するサブキャリア周波数又はＲＢサブキャリア周波数グループを特定してもよく、次いでこれらのサブキャリア周波数又はＲＢサブキャリア周波数グループのＭ個を選択する。ここで、ＭはＵＥへのダウンリンクに対し割り当てられるサブキャリア周波数又はＲＢの数に対応する。他の実施形態において、基地局１２−１は、最も高いサブバンドＳＩＮＲを有するＭ個のサブキャリア周波数又はＲＢサブキャリア周波数グループを選択できる。ここで再び、ＭはＵＥへのダウンリンクに対し割り当てられるサブキャリア周波数又はＲＢサブキャリア周波数グループの数に対応する。次いで、選択されたサブキャリア周波数又はＲＢサブキャリア周波数グループは、１以上のＴＴＩの期間にＵＥへのダウンリンクに対し割り当てられる。
【００４５】
基地局１２−１は、バックホールネットワーク５８を介して、ＵＥへのダウンリンクに対する使用のためにスケジュールされるサブキャリア周波数又はＲＢサブキャリア周波数グループを他の基地局１２−２〜１２−７へ通知する（ステップ１２２）。ＬＴＥ移動体通信ネットワークに対し、基地局１２−１はＸ２メッセージを使って他の基地局１２−２〜１２−７へ通知する。具体的には、基地局１２−１はＲＮＴＰインジケータを介して、ＵＥへのダウンリンクに対しスケジュールされる選択されたサブキャリア周波数又はＲＢサブキャリア周波数グループの高干渉状態を伝達する。ここでプロセスはステップ１００に戻り、繰り返される。
【００４６】
ＬＴＥにおいて、最短のＲＮＴＰ更新周期は２００ｍｓである。従って、ＲＮＴＰインジケータは最短でもせいぜい２００ｍｓ毎に更新され得る。しかしながら、セル１４−１〜１４−７におけるパワーブースト及びパワーバックオフの状況はこの２００ｍｓ周期以内で変わる可能性が高いので、基地局１２−１は２００ｍｓ周期内で１以上の追加のパワーブーストに対し、パワーブーストに使用されるサブキャリア周波数を再使用してもよい。例えば、基地局１２−１がＵＥへのダウンリンクに対するパワーブーストに対し、特定のＲＢサブキャリア周波数グループを割り当てる場合、ＵＥへのダウンリンクは、もし基地局１２−１がこれ以上ＵＥへ送信すべきデータが無い場合には必要でなくとも良い。この状況ｇ２００ｍｓのＲＮＴＰ更新周期内で発生すれば、基地局１２−１は、同等あるいはそれ以下の量の別のパワーブーストに対し、ＲＢサブキャリア周波数グループを再利用してもよい。このようなパワーブーストが必要でなければ、基地局１２−１は、次のＲＮＴＰの更新が受信されるまで、ＲＢサブキャリア周波数グループをスケジュールしない。同様に、パワーバックオフに使用されるサブキャリア周波数が、２００ｍｓのＲＮＴＰ更新周期の間、１以上の同等又はそれ以下の量の追加のパワーバックオフに対して再使用されてもよい。
【００４７】
図４Ａ及び４Ｂは、本発明の一の実施形態にかかる、アップリンクの調整されたパワーブーストとパワーバックオフのスキームを実行する基地局の動作を示すフローチャートである。この説明において、基地局は図１の基地局１２−１である。しかしながら、この説明は移動体通信ネットワーク１０の他の基地局１２−２〜１２−７にも同様に適用される。まず、基地局１２−１は、ＵＥからアップリンクＳＩＮＲを取得する（ステップ２００）。一の実施形態において、基地局１２−１は、ＵＥのためにアップリンクＳＩＮＲを測定する。次いで基地局１２−１は、ＵＥのアップリンクＳＩＮＲが最小ＳＩＮＲ（ＳＩＮＲMIN）より大きく、最大ＳＩＮＲ（ＳＩＮＲMAX）より小さいか否かを決定する（ステップ２０２）。換言すれば、基地局１２−１は、ＵＥがセル１４−１のセル中間領域１８内に位置しているか否か決定する。ＵＥがセル１４−１のセル中間領域１８内に位置している場合、基地局１２−１は、全チャネル帯域を有するアップリンクチャネルを使って、全送信パワーレベルで適切な変調及び符号化方式（ＭＣＳ）を用いて、ＵＥへのアップリンクをスケジュールする（ステップ２０４）。より具体的には、ＬＴＥ移動体通信ネットワークに対して、基地局１２−１は、ＵＥのアップリンクＳＩＮＲに基づいて、ＵＥの適切なＭＣＳを選択する。さらに、全送信パワーレベルは、ＵＥの最大送信パワーであっても良いし、ＵＥの最大送信パワーから所定レベル低減したものであっても良い。基地局１２−１は、ＵＥへのアップリンクに対する１以上の送信時間間隔（ＴＴＩｓ）の間に、１以上のサブキャリア周波数を割り当てることにより、ＵＥへのアップリンクをスケジュールする。ＬＴＥ移動体通信ネットワークに対し、基地局１２−１は、ＵＥへのアップリンクに対し１以上のＲＢを割り当てることにより、ＵＥへのアップリンクをスケジュールする。次いでプロセスはステップ２００に戻り、繰り返される。
【００４８】
ステップ２０２に戻り、もしＵＥのアップリンクＳＩＮＲが最小ＳＩＮＲ（ＳＩＮＲMIN）より大きくなく、最大ＳＩＮＲ（ＳＩＮＲMAX）より小さければ、（即ちもしＵＥがセル１４−１のセル中間領域１８内に位置していなければ）、基地局１２−１はアップリンクＳＩＮＲが最大ＳＩＮＲ（ＳＩＮＲMAX）より大きいか否か決定する（ステップ２０６）。換言すれば、基地局１２−１は、ＵＥがセル１４−１のセル中心領域２０内にあるか否かを決定する。ＵＥがセル１４−１のセル中心領域２０内にある場合、この実施形態では、基地局１２−１はＵＥがＳＩＳＯデバイスであるか否かを決定する（ステップ２０８）。ここで、ＬＴＥ移動体通信ネットワークに対して、アップリンクＳＩＮＲがＬＴＥに対し約＋１９ｄＢである最大ＳＩＮＲ（ＳＩＮＲMAX）を超えて増加する場合でも、多重入出力（ＭＩＭＯ）デバイスは、スループットを改良してもよい。もしＵＥがＳＩＳＯデバイスでなければ、基地局１２−１は、全チャネル帯域を有するアップリンクチャネルを使って、全送信パワーレベルで適切なＭＣＳを用いて、ＵＥへのアップリンクをスケジュールする（ステップ２１０）。基地局１２−１は、ＵＥへのアップリンクに対する１以上のＴＴＩｓの間に、１以上のサブキャリア周波数を割り当てることによりＵＥへのアップリンクをスケジュールする。ＬＴＥ移動体通信ネットワークにおいて、基地局１２−１はＵＥへのアップリンクに対し１以上のＲＢｓを割り当てることによりＵＥへのアップリンクをスケジュールする。次いでプロセスはステップ２００に戻り、繰り返される。
【００４９】
ステップ２０８に戻り、もしＵＥがＳＩＳＯデバイスであれば、基地局１２−１は、全チャネル帯域を有するアップリンクチャネルを使って、低減された送信パワーレベルで適切なＭＣＳを用いてＵＥへのアップリンクをスケジュールし、それによってＵＥへのアップリンクに対するパワーを低減する（ステップ２１２）。より具体的には、基地局１２−１は、ＵＥへのアップリンクに対する１以上のＴＴＩｓの間に、１以上のサブキャリア周波数を割り当てることによりＵＥへのアップリンクをスケジュールする。ＬＴＥ移動体通信ネットワークに対し、基地局１２−１は、ＵＥへのアップリンクに対し１以上のＲＢを割り当てることによりＵＥへのアップリンクをスケジュールする。さらに、ＵＥへのアップリンクに対する割り当てのためのサブキャリア周波数及びＴＴＩの選択において、又はＲＢの選択において、基地局１２−１は、ＵＥが位置するセル１４−１内のセクタの隣接セクタにおける、バックホールネットワーク５８を介して対応の基地局により伝えられるパワーブーストやパワーバックオフに関する情報を考慮してもよい（図１）。例えば、もしＵＥがセル１４−１のアルファセクタに位置していれば、基地局１２−１は、セル１４−１のアルファセクタに隣接するセル１４−２のベータ及びガンマセクタ、セル１４−３のガンマセクタ、セル１４−７のベータセクタから伝えられるパワーブーストやパワーバックオフに関する情報を考慮してもよい。パワーブーストやパワーバックオフに関する情報は、好適には、隣接のセクタにおいて基地局１２−２、１２−３、及び１２−７が現在行っているパワーブーストで用いるサブキャリア周波数やＲＢサブキャリア周波数グループを特定する情報や、これらのサブキャリア周波数やＲＢサブキャリア周波数グループのそれぞれに対するパワーブースト量を含む。これに加え、パワーブーストやパワーバックオフに関する情報は、好適には、隣接のセクタにおいて基地局１２−２、１２−３、及び１２−７が現在行っているパワーバックオフで用いるサブキャリア周波数やＲＢサブキャリア周波数グループを特定する情報や、これらのサブキャリア周波数やＲＢサブキャリア周波数グループのそれぞれに対するパワーバックオフ量を含む。これに加え、基地局１２−１は、セル１４−１内の隣接セクタのパワーブーストやパワーバックオフに関する情報を考慮してもよい。
【００５０】
アップリンクがスケジュールされると、基地局１２−１は他の基地局１２−２〜１２−７に対し、バックホールネットワーク５８を介してＵＥへのアップリンクに対する使用のためにスケジュールされたサブキャリア周波数又はＲＢサブキャリア周波数グループを通知する（ステップ２１４）。ＬＴＥ移動体通信ネットワークに対し、基地局１２−１は、Ｘ２メッセージを使用する他の基地局１２−２〜１２−７に対して通知する。具体的には、基地局１２−１は、ＬＴＥ高干渉インジケータ（ＬＴＥＨｉｇｈ−ＩｎｔｅｒｆｅｒｅｎｃｅＩｎｄｉｃａｔｏｒ（ＨＩＩ））あるいはＬＴＥ過負荷インジケータ（ＬＴＥＯｖｅｒｌｏａｄＩｎｄｉｃａｔｏｒ（ＯＩ））を介してＵＥへのアップリンクに対しスケジュールされ選択されるサブキャリア周波数やＲＢサブキャリア周波数グループへ低干渉状態を伝達する。この時、プロセスはステップ２００に戻り、繰り返される。
【００５１】
ステップ２０６に戻り、ＵＥのアップリンクＳＩＮＲが最大ＳＩＮＲ（ＳＩＮＲMAX）より大きくない場合には、ＵＥはセル１４−１のセル周辺領域１６内に位置している。従って、パワーブーストが必要となる。この実施形態では、パワーブーストを実施するために、基地局１２−１はまずアップリンクにおいて各サブキャリア周波数あるいはＲＢサブキャリア周波数グループに対するセル外干渉の量を決定する（ステップ２１６）。一の実施形態では、基地局１２−１は、ＬＴＥＯＩを使用するＲＢサブキャリア周波数グループ毎のセル外干渉を測定する。
【００５２】
次に、基地局１２−１は、伝えられた隣接するセクタのパワーブーストやパワーバックオフに関する情報に基づいて、狭帯域チャネルが望ましいパワーブーストを実施するのに十分な狭帯域を有するように、狭帯域チャネルに対しアップリンクチャネルのサブキャリア周波数のサブセットを特定する（ステップ２１８）。より具体的には、狭帯域チャネルに対しサブキャリア周波数又はＲＢサブキャリア周波数グループを選択する時、基地局１２−１は、バックホールネットワーク５８を介して対応の基地局により伝えられる、ＵＥが位置するセクタの隣接するセクタのパワーブーストやパワーバックオフに関する情報を考慮する（図１）。従って、例えば、もしＵＥがセル１４−１のアルファセクタに位置していれば、セル１４−１のアルファセクタの隣接セクタである、セル１４−２のベータ及びガンマセクタ、セル１４−３のガンマセクタ、及びセル１４−７のベータセクタから伝えられるパワーブーストやパワーバックオフに関する情報を基地局１２−１は考慮する。パワーブーストやパワーバックオフに関する情報は、好適には、隣接のセクタにおいて基地局１２−２、１２−３、及び１２−７が現在行っているパワーブーストで用いるサブキャリア周波数やＲＢサブキャリア周波数グループを特定する情報や、これらのサブキャリア周波数やＲＢサブキャリア周波数グループのそれぞれに対するパワーブースト量を含む。これに加え、パワーブーストやパワーバックオフに関する情報は、好適には、隣接のセクタにおいて基地局１２−２、１２−３、及び１２−７が現在行っているパワーバックオフで用いるサブキャリア周波数やＲＢサブキャリア周波数グループを特定する情報や、これらのサブキャリア周波数やＲＢサブキャリア周波数グループのそれぞれに対するパワーバックオフ量を含む。これに加え、基地局１２−１は、セル１４−１内の隣接セクタのパワーブーストやパワーバックオフに関する情報を考慮してもよい。
【００５３】
隣接するセクタにおけるパワーブーストやパワーバックオフに関する情報に基づいて、基地局１２−１は、ＵＥからのアップリンクに対するパワーブーストが隣接セクタのパワーバックオフと調整されるように狭帯域チャネルのサブキャリア周波数又はＲＢサブキャリア周波数グループを選択することができる。具体的には、一の実施形態において、基地局１２−１は、パワーブーストやパワーバックオフに関する情報に応じて、（１）隣接するセクタのそれぞれにおいて現在パワーバックオフに使われており、及び（２）別の隣接するセクタにより現在パワーブーストに使われていない、狭帯域チャネルに対するサブキャリア周波数又はＲＢサブキャリア周波数を選択する。次いで、選択されたサブキャリア周波数又はＲＢサブキャリア周波数の少なくとも１つのサブセットを用いて、基地局１２−１は、望ましいパワーブーストを提供するためにダウンリンクチャネルの全チャネル帯域と比較して十分に低減された狭チャネル帯域を有する狭帯域チャネルを提供する。
【００５４】
好ましい実施形態において、別のセル内の各隣接するセクタにおいて、あるいは同一セル内の各隣接するセクタにおいて、パワーブーストはパワーバックオフと調整される。しかしながら、各隣接するセクタにおけるパワー増体とパワーバックオフとの調整は、２つの状態のいずれかにおいて不可能となり得る。第１の状態は、１以上の隣接するセクタが、パワーバックオフにサブキャリア周波数又はＲＢサブキャリア周波数を現在使用中のセル中心領域にＵＥを１つも有していない場合である。第２の状態は、１以上の隣接セクタが、別の隣接するセクタ内でパワーバックオフに現在使用中であり、かつパワーブーストに未だ使われていない、サブキャリア周波数又はＲＢサブキャリア周波数グループを有していない場合である。これらいずれかの状態においては、パワーブーストをパワーバックオフと調整するよりも基地局１２−１は、隣接するセクタからのパワーブースト信号との衝突を避けるようにパワーブーストを調整しても良い。具体的には、隣接するセクタに対して伝えられるパワーブーストやパワーバックオフに関する情報に基づいて、基地局１２−１は、どのサブキャリア周波数が、あるいはどのＲＢサブキャリア周波数グループが隣接するセクタにおいて未だパワーブーストのために使用されていないかどうかを決定することができる。次いで基地局１２−１は、狭帯域チャネルに対して、他のサブキャリア周波数あるいは他のＲＢサブキャリア周波数グループを選択することができる。
【００５５】
一の実施形態において、望ましいパワーブーストは、最小ＳＩＮＲ（ＳＩＮＲMIN）とＵＥのダウンリンクＳＩＮＲ間の差である。これは、セル外干渉が熱ノイズよりはるかに少ない（Ｉ＜＜ｎ）、カバレッジが制限される状況、あるいはノイズが制限される状況において特に有益である。カバレッジが制限される状況において、ＸｄＢのパワーブーストからもたらされるＵＥに対するＳＩＮＲの改良又はゲインはＸｄＢである。他の実施形態において、望ましいパワーブーストは、ＳＩＮＲMINマイナスＵＥに対するダウンリンクＳＩＮＲマイナスパワーブーストを調整するサブキャリア周波数又はＲＢサブキャリア周波数グループのパワーバックオフ量である。これは、セル外干渉が熱ノイズよりはるかに大きい（Ｉ＞＞ｎ）、干渉が制限される状況において特に有益である干渉が制限される状況において、ＹｄＢのパワーバックオフと調整されるＸｄＢのパワーブーストからもたらされるＵＥに対するＳＩＮＲの改良又はゲインは、Ｘ＋ＹｄＢである。
【００５６】
狭帯域チャネルの帯域は、パワーブーストの望ましい量に間接的に関連する。一の実施形態において、狭チャネル帯域は、以下の数式に基づいて決定されてもよい。
【数７】
2012512547.tif 000009
従って、
【数８】
2012512547.tif 000010
である。
このように、例えば、もし望ましいパワーブーストがサブキャリアにつき４．７７ｄＢであれば、狭チャネル帯域は全チャネル帯域の１／３となる。
【００５７】
次に、狭帯域チャネルにおいて、現在低量のあるいは少なくともセル外干渉量を経験しているサブキャリア周波数又はＲＢサブキャリア周波数グループについて、基地局１２−１はＵＥのアップリンクをスケジュールする（ステップ２２０）。より具体的には、ステップ２１６で測定したセル外干渉に基づいて、基地局１２−１は、閾値より小さいセル外干渉を有するサブキャリア周波数又はＲＢサブキャリア周波数グループを特定してもよく、次いでこれらのサブキャリア周波数又はＲＢサブキャリア周波数グループのＭ個を選択する。ここで、ＭはＵＥへのアップリンクに対し割り当てられるサブキャリア周波数又はＲＢの数に対応する。他の実施形態において、基地局１２−１は、最も高いサブバンドＳＩＮＲを有するＭ個のサブキャリア周波数又はＲＢサブキャリア周波数グループを選択してもよい。ここで再び、ＭはＵＥへのダウンリンクに対し割り当てられるサブキャリア周波数又はＲＢサブキャリア周波数グループの数に対応する。次いで、選択されたサブキャリア周波数又はＲＢサブキャリア周波数グループは、１以上のＴＴＩの期間にＵＥへのダウンリンクに対し割り当てられる。
【００５８】
基地局１２−１は、バックホールネットワーク５８を介して、ＵＥへのアップリンクに対する使用のためにスケジュールされるサブキャリア周波数又はＲＢサブキャリア周波数グループを他の基地局１２−２〜１２−７へ通知する（ステップ２２２）。ＬＴＥ移動体通信ネットワークに対し、基地局１２−１はＸ２メッセージを使って他の基地局１２−２〜１２−７へ通知する。具体的には、基地局１２−１はＬＴＥＨＩＩあるいはＬＴＥＯＩを介して、ＵＥへのダウンリンクに対しスケジュールされる選択されたサブキャリア周波数又はＲＢサブキャリア周波数グループの高干渉状態を伝達する。ここでプロセスはステップ２００に戻り、繰り返される。
【００５９】
図５は、図１の基地局１２−１の実施形態のブロック図である。しかしながら、この説明は、移動体通信ネットワーク１０における他の基地局１２−２〜１２−７に対しても等しく適応される。一般的には、基地局１２−１は関連メモリ７２を有する制御システム７０を備えている。これに加え、この実施形態では、基地局１２−１は、セル１４−１のアルファ、ベータ、ガンマセクタに対するセクタトランシーバ７４−１、７４−２、及び７４−３（図１）をそれぞれ備えている。パワーブーストを提供する上記の基地局１２−１の機能性は、制御システム７０の一部を形成するハードウエア、メモリ７２に記憶されるソフトウエア、あるいはこれらの組合せの中で実行される。
【００６０】
図６は図１のＵＥ６０のブロック図である。この説明は、移動体通信ネットワーク１０における他のＵＥに対しても等しく適応される。一般的には、ＵＥ６０は関連メモリ７８を有する制御システム７６を備えている。これに加え、ＵＥ６０は移動体通信インターフェイス８０を備えている。パワーブーストに対する上記ＵＥ６０の機能性は、移動体通信インターフェィス８０のプロトコルスタックの中で実行されるメモリ７８に記憶されるソフトウエアの中で実行されてもよく、あるいはこれらの組合せで実行されてもよい。ＵＥ６０はまた、ユーザインターフェイス８２も含んでもよく、これらは、例えば、１以上のユーザ入力デバイス（例えば、マイクロフォン、キーパッド、又は同様なもの）、１以上のスピーカ、ディスプレー、又は同様のものなどのコンポーネントを含んでもよい。
【００６１】
当業者は、本発明の好ましい実施形態に対する改良や修正を認識するであろう。このような改良や修正の全ては、ここに開示する概念の範囲内にあり、以下に記載する請求範囲に含まれると考えられる。
【図１】
2012512547.tif 000011
【図２Ａ】
2012512547.tif 000012
【図２Ｂ】
2012512547.tif 000013
【図３Ａ】
2012512547.tif 000014
【図３Ｂ】
2012512547.tif 000015
【図４Ａ】
2012512547.tif 000016
【図４Ｂ】
2012512547.tif 000017
【図５】
2012512547.tif 000018
【図６】
2012512547.tif 000019
【国際調査報告】
2012512547.tif 000020
2012512547.tif 000021